(57)【特許請求の範囲】
【請求項１】
軒先取付部と、この軒先取付部から屋外側に突出された軒樋支持腕とからなる軒樋支持具において、前記軒樋支持腕は屋外側に屋外側耳保持部と屋内側に屋内側耳保持部が設けられた棒状体であり、屋外側耳保持部には、ほぼ水平な軒先に沿った方向に長い支持片が設けられ、この支持片の屋内側面には、上方から下方にかけて複数個の切欠部が設けられて、支持片が屈曲可能になされていることを特徴とする軒樋支持具。
【請求項２】
軒先取付部と、この軒先取付部から屋外側に突出された軒樋支持腕とからなる軒樋支持具において、前記軒樋支持腕は屋外側に屋外側耳保持部と屋内側に屋内側耳保持部が設けられた棒状体であり、屋外側耳保持部には、ほぼ水平な軒先に沿った方向に長い支持片が設けられ、この支持片の屋内側縁が屋内方向に突出した円弧状になされていることを特徴とする軒樋支持具。
【発明の詳細な説明】
【０００１】
【発明の属する技術分野】
本発明は、軒先に取着固定されて軒樋を保持する軒樋支持具に関する。
【０００２】
【従来の技術】
従来、軒樋支持具としては、実公平４−３８０１５号公報に記載あるように、軒樋支持腕の屋外側耳保持部の上端部に、屋外側耳保持部に比し、広幅となるスペ−サを装着してなる軒樋支持具がある。
この軒樋支持具は、軒樋に荷重がかかり、その結果、軒樋が蛇行したり、軒樋が回動しても、屋外側耳保持部の上端部にスペ−サが装着されて、屋外側の軒樋耳と屋外側耳保持部との接触面積が大となっているから、軒樋支持具の屋外側耳保持部から軒樋が外れ難いのである。
【０００３】
【発明が解決しようとする課題】
しかしながら、降雪時、屋根に積もった雪が滑り落ちて軒樋にひっかかった雪や直接軒樋に積もった雪による積雪荷重が下方斜め方向にかかり、軒樋が蛇行することが、積雪地では、多々ある。
上記の実公平４−３８０１５号公報に記載の軒樋支持具では、図３に示すように、屋外側耳保持部３０の上端部にスペ−サ３１を装着して、軒樋の屋外側耳３２と屋外側耳保持部３０との接触面積が大となっているが、スペ−サ３１が屈曲せずに、真っ直ぐになっているため、軒樋が蛇行した時、スペ−サ３１の長手方向の両端部の軒樋の屋外側耳３２が当接している箇所３３に、応力が集中し、軒樋の屋外側耳３２が折曲し、白化現象が生じ破損するという問題があった。
【０００４】
本発明の目的は、上記問題に着目してなされたもので、軒樋に積雪による荷重がかかっても、屋外側耳保持部の両端部に応力が集中せず、白化現象が生じない軒樋支持具を提供するものである。
【０００５】
【課題を解決するための手段】
本発明は上記の目的を達成するためになされたもので、請求項１記載の発明は、軒先取付部と、この軒先取付部から屋外側に突出された軒樋支持腕とからなる軒樋支持具において、前記軒樋支持腕は屋外側に屋外側耳保持部と屋内側に屋内側耳保持部が設けられた棒状体であり、屋外側耳保持部には、ほぼ水平な軒先に沿った方向に長い支持片が設けられ、この支持片の屋内側面には、上方から下方にかけて複数個の切欠部が設けられて、支持片が屈曲可能になされているものである。
【０００６】
請求項２記載の発明は、軒先取付部と、この軒先取付部から屋外側に突出された軒樋支持腕とからなる軒樋支持具において、前記軒樋支持腕は屋外側に屋外側耳保持部と屋内側に屋内側耳保持部が設けられた棒状体であり、屋外側耳保持部には、ほぼ水平な軒先に沿った方向に長い支持片が設けられ、この支持片の屋内側縁が屋内方向に突出した円弧状になされているものである。
【０００７】
本発明の軒樋支持具の材質は、合成樹脂、金属が使用されるが、軽量、防錆の点で合成樹脂がよく、合成樹脂の中でも、可撓性の点で、ポリカ−ボネ−ト樹脂が好ましい。
本発明の軒樋支持具は射出成形法で製造すると、屋外側耳保持部、軒樋支持腕及び軒先取付部が一体成形できるので、好ましい。
【０００８】
（作用）
本発明の請求項１記載の軒樋支持具では、屋外側耳保持部に、ほぼ水平な軒先に沿った方向に長い支持片が設けられ、この支持片の屋内側面に、上方から下方にかけて複数個の切欠部が設けられ、支持片が屈曲可能になされているから、軒樋に、積雪荷重が下方斜め方向にかかり、軒樋が蛇行すると、図１及び図２に示すように、軒樋の屋外側耳に差し込まれている長い支持片の切欠部が開くことによって、支持片の屋内側が伸び、支持片の屋外側が縮んで、軒樋の蛇行に追随して、支持片が屈曲する。
そのため、支持片の両端部の軒樋が当接している箇所に、応力が集中せず、軒樋の屋外側耳が折曲することがなく、軒樋が白化せず、破損したりしない。
【０００９】
本発明の請求項２記載の軒樋支持具では、屋外側耳保持部に、ほぼ水平な軒先に沿った方向に長い支持片が設けられ、この支持片の屋内側縁は、屋内方向に突出した円弧状になされているから、軒樋に、積雪荷重が下方斜め方向にかかり、軒樋が蛇行すると、図４及び図５に示すように、軒樋の屋外側耳に差し込まれている支持片の円弧状の屋内側縁に沿って、軒樋の屋外側耳が屈曲する。
そのため、支持片の両端部の軒樋が当接している箇所に、応力が集中せず、軒樋の屋外側耳が折曲することがなく、軒樋が白化せず、破損したりしない。
【００１０】
【発明の実施の形態】
本発明の一実施例を図１及び図２に基づいて説明する。
図１の（イ）は軒樋支持具の斜視説明図、（ロ）は軒樋支持具を軒先に取り付け、軒樋が軒樋支持具に取り付けられている状態を示す断面説明図、図２は軒樋支持具の屋外側耳保持部の支持片が軒樋の屈曲に追随して、円弧状に屈曲している状態を示す説明図である。
図１に示すように、Ａはポリカ−ボネ−ト樹脂製の軒樋支持具であり、この軒樋支持具Ａは軒先取付部１と軒樋支持腕２とからなり、射出成形法で一体に作られている。
【００１１】
軒先取付部１は板状体で、四隅部に４個の取付孔１１が設けられ、軒先取付部１のほぼ中央部より、軒樋支持腕２（後述説明）が屋外側に向けて突出されている。
又、軒樋支持腕２は、屋外側に屋外側耳保持部２１と屋内側に屋内側耳保持部２２が設けられた棒状体である。
又、屋外側耳保持部２１には、ほぼ水平な軒先に沿った方向に長い支持片２３が設けられ、この支持片２３の屋内側面には、上方から下方にかけて４個の切欠部２４が設けられている。
【００１２】
次に、軒樋支持具Ａの施工方法及び作用について説明する。
軒先３に、軒樋支持具Ａの取付位置をきめる。
次に、軒先取付部１の四隅部の４個の取付孔１１に釘５を差し込み、鼻隠し板３に釘５を打ちつけて、軒先に固定する。
次に、この軒先取付部１のほぼ中央部より、屋外側に向けて突出している軒樋支持腕２の屋外側耳保持部２１の支持片２３に、軒樋４の屋外側耳を嵌め込む。次に、軒樋支持腕２の屋内側耳保持部２２に、軒樋４の屋内側耳を差し込んで、軒樋支持具Ａの軒樋支持腕２に軒樋４を取り付ける。
【００１３】
このようにすると、軒樋４に、積雪荷重が下方斜め方向にかかり、軒樋４が蛇行すると、屋外側耳保持部２１に、ほぼ水平な軒先に沿った方向に長い支持片２３が設けられ、この支持片２３の屋内側面に、上方から下方にかけて４個の切欠部２４が設けられ、支持片２３が屈曲可能になされているから、図１及び図２に示すように、軒樋４の屋外側耳に差し込まれている長い支持片２３の切欠部２４が開くことによって、支持片２３の屋内側が伸び、支持片２３の屋外側が縮んで、軒樋４の蛇行に追随して、支持片２３が屈曲する。
そのため、支持片２３の両端部の軒樋４が当接している箇所に、応力が集中せず、軒樋４の屋外側耳が折曲することがなく、軒樋４が白化せず、破損したりしない。
【００１４】
次に、本発明の他の実施例を図４及び図５に基づいて説明する。
図４の（イ）は軒樋支持具の斜視説明図、（ロ）は軒樋支持具を軒先に取り付け、軒樋が軒樋支持具に取り付けられている状態を示す断面説明図、図５は軒樋支持具の屋外側耳保持部の支持片が軒樋の屈曲に追随して、円弧状に屈曲している状態を示す説明図である。
【００１５】
図１及び図２と異なるところは、屋外側耳保持部２１ｂの支持片２３ｂの屋内側縁が屋内方向に突出した円弧状になっているだけで、下記の構造と作用を除き、構造、使用方法と作用は殆ど同じであるので、説明は省略する。
図４において、Ｂは軒樋支持具であり、軒樋支持具Ｂは軒先取付部１ｂと軒樋支持腕２ｂとからなっている。
軒樋支持腕２ｂの屋外側耳保持部２１ｂには、この支持片２３ｂの屋外側縁が、ほぼ水平な軒先に沿った方向に長い支持片２３ｂが設けられ、この支持片２３ｂの屋内側縁が、屋内方向に突出した円弧状になされている。
【００１６】
このようにすると、軒樋４に、積雪荷重が下方斜め方向にかかり、軒樋４が蛇行すると、屋外側耳保持部２１ｂに、支持片２３ｂが設けられ、ほぼ水平な軒先に沿った方向に長い、支持片２３ｂの屋内側縁が屋内方向に突出した円弧状になされているから、図４及び図５に示すように、軒樋４の屋外側耳が、軒樋４の屋外側耳に差し込まれている支持片２３ｂの円弧状の屋内側縁に沿って屈曲する。そのため、支持片２３ｂの両端部の軒樋４が当接している箇所に、応力が集中せず、軒樋４の屋外側耳が折曲することがなく、軒樋４が白化せず、破損したりしない。
【００１７】
以上、本発明実施例を図面に基づいて説明してきたが、具体的な構成はこの実施例の限られるものではなく本発明の要旨を逸脱しない範囲の設計変更等があっても本発明に含まれる。
【００１８】
【発明の効果】
以上、説明してきたように、本発明の請求項１記載の軒樋支持具にあっては、屋外側耳保持部に、ほぼ水平な軒先に沿った方向に長い支持片が設けられ、この支持片の屋内側面に、上方から下方にかけて複数個の切欠部が設けられ、支持片が屈曲可能になされているから、軒樋に、積雪荷重が下方斜め方向にかかり、軒樋が蛇行すると、図１及び図２に示すように、軒樋の屋外側耳に差し込まれている長い支持片の切欠部が開くことによって、支持片の屋内側が伸び、支持片の屋外側が縮んで、軒樋の蛇行に追随して、支持片が屈曲する。
そのため、支持片の両端部の軒樋が当接している箇所に、応力が集中せず、軒樋の屋外側耳が折曲することがなく、軒樋が白化せず、破損したりしない。
【００１９】
本発明の請求項２記載の軒樋支持具では、屋外側耳保持部に、ほぼ水平な軒先に沿った方向に長い支持片が設けられ、この支持片の屋内側縁は、屋内方向に突出した円弧状になされているから、軒樋に、積雪荷重が下方斜め方向にかかり、軒樋が蛇行すると、図４及び図５に示すように、軒樋の屋外側耳に差し込まれている支持片の円弧状の屋内側縁に沿って、軒樋の屋外側耳が屈曲する。
そのため、支持片の両端部の軒樋が当接している箇所に、応力が集中せず、軒樋の屋外側耳が折曲することがなく、軒樋が白化せず、破損したりしない。
【００２０】
【図面の簡単な説明】
【図１】本発明の一実施例を示すもので、（イ）は軒樋支持具の斜視説明図、（ロ）は軒樋支持具を軒先に取り付け、軒樋が軒樋支持具に取り付けられている状態を示す断面説明図である。
【図２】本発明の一実施例を示すもので、軒樋支持具の屋外側耳保持部の支持片が軒樋の屈曲に追随して、円弧状に屈曲している状態を示す説明図である。
【図３】従来の実施例を示すもので、軒樋支持具の屋外側耳保持部の支持片の両端部の軒樋が当接している箇所に、応力が集中して、軒樋が折曲している状態を示す説明図である。
【図４】本発明の他の実施例を示すもので、（イ）は軒樋支持具の斜視説明図、（ロ）は軒樋支持具を軒先に取り付け、軒樋が軒樋支持具に取り付けられている状態を示す断面説明図である。
【図５】本発明の他の実施例を示すもので、軒樋支持具の屋外側耳保持部の支持片の円弧状の屋内側縁に沿って、屈曲している状態を示す説明図である。
【符号の説明】
Ａ、Ｂ            軒樋支持具
１、１ｂ          軒先取付部
１１              取付孔
２、２ｂ          軒樋支持腕
２１、２１ｂ      屋外側耳保持部
２２、２２ｂ      屋内側耳保持部
２３、２３ｂ      支持片
２４              切欠部
２５、２５ｂ      支持片の両端部の軒樋が当接している箇所
３                鼻隠し板
４                軒樋
５                釘
【図１】
0003599467.tif 000002
【図２】
0003599467.tif 000003
【図３】
0003599467.tif 000004
【図４】
0003599467.tif 000005
【図５】
0003599467.tif 000006